(57)【特許請求の範囲】
【請求項１】
内部に結露防止用ヒータを有するショーケースにおいて、店内湿度を検知する湿度センサの値に応じて結露防止用ヒータの出力を可変とすると共に、前記湿度センサを店舗の除湿空調機の湿度センサを使用したことを特徴とするショーケース。
【発明の詳細な説明】
【０００１】
【発明の属する技術分野】
本発明は、内部の結露し易い部分に結露防止用ヒータを有するショーケースに関する。
【０００２】
【従来の技術】
従来この種のショーケースとして、特開平５−３０６８７１号公報（Ｆ２５Ｄ１７／０８）には、一側に開口を有した断熱壁内に内壁を配設し、両壁間に区画版を設けて前記断熱壁、区画壁及び内壁とで保護気流通路及び冷気流通路を形成すると共に、前記開口上縁に前記保護気流通路及び冷気流通路にそれぞれ連通する複数の吹出口を並設し、前記開口を保護気流及び冷気流にて閉塞して成るオープンショーケースにおいて、結露防止用のヒータを具備し、前記保護気流通路の吹出口と冷気流通路の吹出口間に位置して両吹出口から下方に延在する仕切板を前記区画壁に取り付けると共に、前記保護気流通路下方に対応する前記仕切板の前面を、所定の曲率にて前記冷気流側に漸近する湾曲面とした構成について開示されている。
【０００３】
【発明が解決しようとする課題】
上述した様な従来技術では、結露防止用のヒータの設定は一年を通して一番過酷な条件を基準としていると共に、常時通電しているために、条件の良い季節及び時間帯等においては必要以上にヒータの通電をしており、無駄な電力を消費していることに加えて、冷却負荷の要因ともなっていた。
【０００４】
本発明は上述した問題点に鑑みてなされたもので、結露防止用ヒータの必要以上な通電を防止して無駄な消費電力を防止すると共に、無駄な冷却負荷も防止することができるショーケースを提供する。
【０００５】
【課題を解決するための手段】
上記目的を達成するための手段として、内部に結露防止用ヒータを有するものであって、店内湿度を検知する湿度センサの値に応じて結露防止用ヒータの出力を可変とすると共に、前記湿度センサを店舗の除湿空調機の湿度センサを使用したショーケースである。
【０００６】
この様に、店内湿度を検知する湿度センサの値に応じて結露防止用ヒータの出力を可変としたことにより、無駄な消費電力を防止すると共に、無駄な冷却負荷も防止することができる。
【０００７】
また、除湿空調機を有する店舗において、前記湿度センサを除湿空調機の湿度センサを使用したことにより、新たに湿度センサを設けることなく、店内湿度を計測することができる。
【０００８】
【発明の実施の形態】
以下、本発明の実施の形態を図面に基づいて説明する。
【０００９】
図１はショーケースの縦断面図、図２はショーケースと除湿空調機の制御説明図、図３は店内湿度における結露防止用ヒータの出力説明図、図４は結露防止用ヒータの制御説明図である。
【００１０】
本発明のショーケース１は図１に示す如く断面略コ字状の断熱壁２の両端に取り付けられた側板３とから構成されている。断熱壁２の底壁２Ａ上に冷気を循環させるための送風ファン１０が設けられ、断熱壁２の内側には間隔を存して金属製の第１の仕切板４Ａ及び第２の仕切板４Ｂが取り付けられ、第１の仕切板４Ａの内側を商品貯蔵室１１とし、この第１の仕切板４Ａと第２の仕切板４Ｂとの間を第１の冷気通路６とすると共に、第２の仕切板４Ｂと断熱壁２との間を第２の冷気通路７としている。また、第１の冷気通路６内には蒸発器９が設けられている。そして第１及び第２の冷気通路６，７の前端上方にはそれぞれ第１及び第２の吐出口１２，１３が形成され、第１及び第２の吐出口１２，１３の下方には吸込口１４が形成され、商品貯蔵室１１の開口１５に第１及び第２の吐出口１２，１３より吸込口１４に向かう２重のエアーカーテンを形成している。
【００１１】
商品貯蔵室１１内には、商品を陳列するためにブラケット１７に支持された複数段の棚１６及び下端には底板１８が設けられ、棚１６の下面前部には下方の棚１６に陳列された商品を照らすための蛍光灯２１が設けられていると共に、第１の吐出口１２の後方にも蛍光灯２０が設けられており、蛍光灯２０及び２１は同時に庫内蛍光灯２２とされている。また、第２の吐出口１３の前方の反射板２３には庫内全域及び庫内周囲を照らす庫外蛍光灯１９が設けられている。更に、第１及び第２の吐出口１２，１３及び吸込口１４近傍等の結露しやすい場所には、結露防止用ヒータ２３，２４等が設けられている。
【００１２】
また、図２に示す如く店舗３０内の湿度を調節するために除湿空調機３１が設けられ、店舗３０の天井に設けられた空気吸込口３２から店舗内の空気を吸い込むと共に、戻り空気ダクト３３より除湿空調機３１に導いている。ここで、除湿空調機３１内には、コントローラ３４が設けられており、このコントローラ３４は、戻り空気ダクト３３又は店舗３０内の柱等に設けられた湿度センサ３５の出力によって除湿空調機３１内での除湿度合いを決定している。そして除湿空調機３１で除湿された空気は供給空気ダクト３６を通過してショーケース１の下部の空気吐出口３７より店舗３０内に供給されている。ここで、店舗内の湿度は、店舗内の温度によっても変化するが、店舗内の温度は一年を通してあまり変化がない（２０度〜３０度程度）ため、店舗内の温度をあまり考慮する必要性が無い。
【００１３】
更に、コントローラ３４はショーケース１と接続されており、図３に示す如く、ショーケース１内の結露防止用ヒータ２３，２４は、湿度センサ３５の出力値である店内湿度により出力値を変更している。ただし、図３の出力値は単なる一例に過ぎない。
【００１４】
上記構成により、結露防止用のヒータ２３，２４の設定は一年を通して一番過酷な条件を基準としているが、店内湿度により出力値を変更しているので、結露防止用ヒータ２３，２４による無駄な消費電力を防止すると共に、結露防止用ヒータ２３，２４は、ショーケース１に対して冷却負荷になっているが、無駄な冷却負荷を防止することができる。
【００１５】
また、ショーケース１の湿度センサを除湿空調機３１の湿度センサ３５を使用したことにより、新たに湿度センサを設けることなく、安価に店舗内の湿度を計測することができる。
【００１６】
更に、結露防止用ヒータ２３，２４の出力は、図４に示す如く例えば５０％である場合には、通電時間の半分の通電を行うと共に、２５％である場合には通電時間の４分の１の時間のみ通電を行うものである。
【００１７】
上記構成により、結露防止用ヒータ２３，２４の出力を変更させることなく通電時間により出力値を変更しているので、簡単な構成により、見た目上の出力変更を行うことができる。
【００１８】
【発明の効果】
以上詳述した如く、店内に設けられた店内湿度を検知する湿度センサの値に応じて結露防止用ヒータの出力を可変としたことにより、無駄な消費電力を防止すると共に、無駄な冷却負荷を防止することができる。
【００１９】
また、除湿空調機を有する店舗において、前記湿度センサを除湿空調機の湿度センサを使用したことにより、新たに湿度センサを設けることなく、店内湿度を計測することができる。
【図面の簡単な説明】
【図１】  ショーケースの縦断面図である。
【図２】  ショーケースと除湿空調機の制御説明図である。
【図３】  店内湿度における結露防止用ヒータの出力説明図ある。
【図４】  結露防止用ヒータの制御説明図である。
【符号の説明】
１      ショーケース
２３，２４    結露防止用ヒータ
３０    店舗
３１    除湿空調機
３５    湿度センサ
【図１】
0003935662.tif 000002
【図２】
0003935662.tif 000003
【図３】
0003935662.tif 000004
【図４】
0003935662.tif 000005